(57)【特許請求の範囲】
【請求項１】
箱体又は枠体からなるベースと、前記ベースの左前端又は右前端を支点とする前後回動により、前記ベースの前面開口を開閉する扉と、を備える遊技機であって、
前記ベースと前記扉との間に設けられ、前記扉を開方向又は閉方向に付勢する付勢モジュールと、
前記付勢モジュールを、前記ベース及び／又は前記扉に個別に取り付けることなく、その個数を前記支点に沿って増減可能に支持する付勢モジュール支持具と、を備え、
前記付勢モジュール支持具は、前記ベース及び／又は前記扉に、前記支点に沿って設けられたレールであり、
前記付勢モジュールを、前記レールに対し、上方又は下方からスライド状に取り付けることを特徴とする遊技機。
【発明の詳細な説明】
【技術分野】
【０００１】
本発明は、スロットマシン、パチンコ機などの遊技機に関し、特に、扉を備える遊技機に関する。
【背景技術】
【０００２】
箱体又は枠体からなるベースと、ベースの左前端又は右前端を支点とする前後回動により、ベースの前面開口を開閉する扉とを備えた遊技機が知られている。
例えば、スロットマシンは、リールユニット、メダル払出装置、電源ユニットなどが収容される箱状の筐体（ベース）と、スタートレバー、停止ボタン、液晶パネル、メダルセレクタ、スピーカなどが取り付けられる前扉（扉）とを備えており、筐体の左前端部に設けられるヒンジを支点として前扉を前後方向に回動させることにより、筐体の前面開口が開閉されるようになっている（例えば、特許文献１参照）。
扉の開閉は、通常、遊技場の店員が行う。例えば、スロットマシンの場合は、開店前における点検、清掃、確率設定、メダル補給、営業中におけるトラブルへの対処、閉店後における点検、清掃、メダル回収などに際して扉の開閉が行われる。
【先行技術文献】
【特許文献】
【０００３】
【特許文献１】特開２００４−２４８７８２号公報
【発明の概要】
【発明が解決しようとする課題】
【０００４】
近年、遊技機の扉は、液晶パネルの大型化などに伴い、重量が増加する傾向にある。重い扉は、開閉に際して勢いがつき易いので、全閉位置や全開位置で大きな衝撃を発生させ、部品の破損をまねくおそれがある。
また、扉が勢いよく閉じると、扉とベースとの間に指を挟み、怪我をするおそれもあった。特に、ヒンジ軸の角度を扉が自重で閉じるように傾斜させた遊技機でその可能性が高く、衝撃を緩和させる何らかの対策が必要とされていた。
また、扉を開いて遊技機内部の点検などを行う場合は、扉が任意の開閉位置で静止していることが望ましいが、ヒンジ軸の設定角度や遊技機の設置角度によっては、扉が勝手に閉方向や開方向に動き出し、作業の妨げとなる場合があった。
【０００５】
本発明は、上記の事情にかんがみなされたものであり、扉の閉じる方向の力や開く方向の力を低減させることにより、扉の閉じる速度や開く速度を簡単に調整できるようにした遊技機の提供を目的とする。
【課題を解決するための手段】
【０００６】
上記目的を達成するため本発明の遊技機は、箱体又は枠体からなるベースと、前記ベースの左前端又は右前端を支点とする前後回動により、前記ベースの前面開口を開閉する扉と、を備える遊技機であって、前記ベースと前記扉との間に設けられ、前記扉を開方向又は閉方向に付勢する付勢モジュールと、前記付勢モジュールを、前記ベース及び／又は前記扉に個別に取り付けることなく、その個数を前記支点に沿って増減可能に支持する付勢モジュール支持具と、を備える構成としてある。
【発明の効果】
【０００７】
本発明によれば、扉の閉じる方向の力や開く方向の力を低減させることにより、扉の閉じる速度や開く速度を簡単に調整できるようにすることができる。
【図面の簡単な説明】
【０００８】
【図１】本発明の第一実施形態に係るスロットマシンの内部構成を示す概略斜視図であり、付勢モジュール取り付け前の状態を示す図である。
【図２】本発明の第一実施形態に係るスロットマシンの内部構成を示す概略斜視図であり、付勢モジュール取り付け後の状態を示す図である。
【図３】本発明の第一実施形態に係るスロットマシンの内部構成を示す概略斜視図であり、（ａ）は、付勢モジュール取り付け後の状態を示すＡ部分の拡大図、（ｂ）は、付勢モジュール取り付け後の状態を示すＢ部分の拡大図である。
【図４】本発明の第一実施形態に係るスロットマシンの付勢モジュール支持具を示す正面図である。
【図５】本発明の第一実施形態に係るスロットマシンの付勢モジュール支持具を示す断面図であり、（ａ）は、係止爪曲げ前の状態を示す図、（ｂ）は、係止爪曲げ後の状態を示す図である。
【図６】本発明の第一実施形態に係るスロットマシンの付勢モジュール支持具を示す斜視図であり、（ａ）は、係止爪曲げ前の状態を示す全体図、（ｂ）は、係止爪曲げ前の状態を示すＣ部分の拡大図である。
【図７】本発明の第一実施形態に係るスロットマシンの付勢モジュール支持具を示す斜視図であり、（ａ）は、係止爪曲げ後の状態を示す全体図、（ｂ）は、係止爪曲げ後の状態を示すＣ部分の拡大図である。
【図８】本発明の第二実施形態に係るスロットマシンの付勢モジュール支持具を示す側面図であり、（ａ）は、全体図、（ｂ）は、Ｄ部分の拡大図である。
【図９】本発明の第二実施形態に係るスロットマシンの付勢モジュール支持具を示す正面図であり、（ａ）は、全体図、（ｂ）は、Ｄ部分の拡大図である。
【発明を実施するための形態】
【０００９】
以下、本発明に係る遊技機の好ましい実施形態について、各図を参照して説明する。
遊技機には、スロットマシン、パチンコ機、アレンジボール、雀球など様々な機類があるが、本実施形態では、メダルを遊技媒体とするスロットマシンに本発明を適用した場合について説明する。
【００１０】
［スロットマシン］
図１に示すスロットマシン１００は、図示しない複数のリールを回転させることによって遊技媒体であるメダルを獲得することができる回胴式遊技機を構成している。
スロットマシン１００は、必要な機械、装置等を収納する正面側が開口した筐体（ベース）１００ｂと、筐体１００ｂの正面開口を開閉可能に覆う前扉（扉）１００ａとで構成されている。
【００１１】
前扉１００ａは、筐体１００ｂの左前端部にヒンジを介して前後回動自在に取り付けられる扉体で、この前扉１００ａに各リールの回転を始動させる図示しないスタートレバーや、回転している各リールを停止させる図示しない３つの停止ボタンなどの複数の操作手段が設けられて、スロットマシン１００の正面部を構成している。
また、前扉１００ａには、演出用の画像を表示する図示しない液晶パネル、投入メダルの識別や計数を行うメダルセレクタ１１０、演出用の音声を出力するスピーカ１２０なども設けられている。
【００１２】
筐体１００ｂの中央には、複数のリールと、各リールを回転可能に支持するモータと、各リールの回転位置を検出するセンサとが組み込まれた図示しないリールユニットが設けられている。
また、筐体１００ｂの下部には、メダルの貯留・払出しを行う図示しないメダル払出装置や、各部に電源供給を行う電源ユニット１３０が設けられている。
【００１３】
近年、スロットマシン１００の前扉１００ａは、液晶パネルの大型化などに伴い、重量が増加する傾向にある。重い前扉１００ａは、開閉に際して勢いがつき易いので、全閉位置や全開位置で大きな衝撃を発生させ、部品の破損をまねくおそれがある。また、前扉１００ａが勢いよく閉じると、前扉１００ａと筐体１００ｂとの間に指を挟み、怪我をするおそれもあった。
そこで、本発明の実施形態に係るスロットマシン１００は、上記の問題点を解消するために、筐体１００ｂと前扉１００ａとの間に、前扉１００ａを開方向に付勢する付勢モジュールと、付勢モジュールを、筐体１００ｂ及び／又は前扉１００ａに個別に取り付けることなく、その個数を支点に沿って増減可能に支持する付勢モジュール支持具を備えてある。以下、付勢モジュールと付勢モジュール支持具について、図１〜図７を参照しつつ説明する。
【００１４】
［付勢モジュール］
付勢モジュールは、図３に示すように、例えば、バネ付き蝶番２を用いて構成することができる。
バネ付き蝶番２は、一対の板材３と、板材３同士を回動可能に連結する連結ピン４と、板材３を所定の回動方向に付勢する捻りコイルバネ５とを備え、前扉１００ａの閉じる方向の力を低減させるべく、前扉１００ａを開方向に付勢するように構成されている。このバネ付き蝶番２は、コスト削減のため、市販品を用いてもよい。
なお、前扉１００ａを閉方向に付勢させるときには、捻りコイルバネ５の巻き方向を変更することで、前扉１００ａを閉方向に付勢させることもできる。さらに、バネ付き蝶番２の表裏を反転して取り付けることで、前扉１００ａを付勢する方向を開方向から閉方向に変更することもできる。
【００１５】
［付勢モジュール支持具］
付勢モジュール支持具は、例えば、図１に示すように、前扉１００ａや筐体１００ｂに、前扉１００ａの回動する支点１に沿うように取り付け可能なレール６とすることができる。このレール６に対し、付勢モジュールを上方又は下方からスライド状に取り付けるようにする（図２参照）。
このようにすると、付勢モジュールを前扉１００ａや筐体１００ｂに対して直接取り付ける場合に比べ、付勢モジュールの取り付けが容易になる。
【００１６】
本実施形態のレール６は、図４、図５に示すように、断面コ字状のレール部材６ａを２本１組として構成されている。一方のレール部材６ａは、前扉１００ａの後面左端部に一体的に固定され、他方のレール部材６ａは、筐体１００ｂの前面開口左内側面に一体的に固定される。そして、両レール部材６ａの溝部６ｂに対し、バネ付き蝶番２の両端（板材３）を上方からスライド状に係合させることにより、バネ付き蝶番２が両レール部材６ａ間で支持される（図３参照）。このとき、バネ付き蝶番２は、連結ピン４が前扉１００ａの回動支点と同一軸心上に位置するように取り付けられている。このように、個々のバネ付き蝶番２を前扉１００ａや筐体１００ｂにネジ等で取り付ける必要がなく、簡単に取り付けることができる。
また、取り付けられるバネ付き蝶番２は、無負荷時における両板材３のなす角を前扉１００ａの全開角度を超える角度としてある。
【００１７】
レール６は、バネ付き蝶番２の取り付け位置を選択的に規定可能な複数の係止部を備えている。例えば、図４、図５に示すように、曲げ変形可能な複数の係止爪６ｃを、高さ方向に所定の間隔を開けて形成しておき、任意の係止爪６ｃを溝部６ｂの内側に突出するように曲げることにより、その位置でバネ付き蝶番２を係止可能とする。
このようにすると、バネ付き蝶番２をレール６の任意の位置に取り付けることができるので、例えば、複数のバネ付き蝶番２を分散状に配置することにより、付勢力をバランス良く前扉１００ａに作用させることができる。また、複数のバネ付き蝶番２を所定箇所に連続状に配置すれば、バネ付き蝶番２を利用して前扉１００ａと筐体１００ｂとの隙間を塞ぐことができるので、隙間に特殊器具を挿入して行われる不正行為を効果的に防止することが可能になる。
なお、係止爪６ｃは、バネ付き蝶番２の取り付けに際して工具の使用を不要にするため、指などで容易に曲げ変形可能とすることが好ましい。
【００１８】
このように構成された付勢モジュールと付勢モジュール支持具は、付勢モジュールの取り付け個数を増減することにより、付勢力を以下のように簡単に調整することができる。
ただし、レール６は、スロットマシン１００に予め取り付けられており、附属品として複数のバネ付き蝶番２が提供されるものとする。
【００１９】
スロットマシン１００の設置後、前扉１００ａを開閉操作し、その開閉速度を確認するとともに、前扉１００ａが任意の開閉位置で静止するか否かを確認する。
ここで、例えば、前扉１００ａが任意の開閉位置で静止せず、閉じる方向に勝手に動き、しかも、前扉１００ａの閉まる速度が速すぎると判断した場合は、前扉１００ａを開方向に付勢するように、まず、レール６に１個目のバネ付き蝶番２を取り付ける。
１個目のバネ付き蝶番２を取り付けた後、再度、前扉１００ａを開閉操作し、その開閉速度を確認するとともに、前扉１００ａが任意の開閉位置で静止するか否かを確認する。
ここで、前扉１００ａの開閉速度が適正で、かつ、前扉１００ａが任意の開閉位置で静止する場合は、付勢力の調整を終了とする。
一方、前扉１００ａが任意の開閉位置で静止せず、閉じる方向に勝手に動き、しかも、前扉１００ａの閉まる速度がまだ速すぎると判断した場合は、前扉１００ａの開閉速度が適正で、かつ、前扉１００ａが任意の開閉位置で静止するようになるまで、レール６に対するバネ付き蝶番２の取り付け個数を増やす。
【００２０】
このように、本実施形態の付勢モジュールと付勢モジュール支持具は、付勢モジュールの取り付け個数を増減することにより、付勢力を調整することができるため、前扉１００ａの開閉速度を任意に調整できるだけでなく、前扉１００ａを任意の開閉位置で静止させることが可能になるので、前扉１００ａを開いて遊技機内部の点検などを行う際に、前扉１００ａが勝手に閉方向や開方向に動き出し、作業の妨げとなるという問題点を解消することができる。しかも、本実施形態では、付勢モジュールの取り付け個数に基づいて付勢力を調整するようにしたので、付勢力調整が容易になるだけでなく、付勢モジュールを共通化し、コストダウンを図ることができる。
なお、付勢力が異なる数種類の付勢モジュールを用意し、これらを選択的に取り付けることにより、付勢力を調整するようにしてもよい。
【００２１】
以上のように構成された本実施形態に係る付勢モジュールと付勢モジュール支持具により、前扉１００ａの閉じる速度を低下させることができるので、全閉位置で発生する衝撃を小さくし、衝撃による部品の破損を防止できるだけでなく、前扉１００ａと筐体１００ｂとの間に指を挟んで怪我をする可能も低減させることができる。
【００２２】
［第二実施形態］
次に、本発明の第二実施形態に係るスロットマシン１００について、図８及び図９を参照しつつ説明する。
ただし、前記実施形態と共通する部分については、前記実施形態と同じ符号を付けることにより、前記実施形態の説明を援用する。
【００２３】
本発明の第二実施形態に係るスロットマシン１００では、付勢モジュール支持具を棒状レールとした点が前記実施形態と相違している。棒状のレール７は、前扉１００ａ又は筐体１００ｂに、前扉１００ａの回動支点に沿うように取り付けられる。ここに、付勢モジュールであるバネ付き蝶番２を取り付ける場合は、レール７が連結ピン４、すなわち軸心として機能するように、バネ付き蝶番（連結ピン４を除去したもの）をレール７に上方又は下方からスライド状に取り付ける。そして、レール７に取り付けられたバネ付き蝶番は、両板材３が前扉１００ａ及び筐体１００ｂに弾圧状に当接することにより、前扉１００ａを開方向又は閉方向に付勢することができる。
なお、上記の説明では、連結ピン４が除去されたバネ付き蝶番を使用する例を示したが、連結ピン４をパイプ（管）状に形成し、パイプ中空部に棒状のレール７を通すようにしてもよい。これにより、パイプ中空部に棒状のレール７を通すだけで取り付けが完了するので、作業の効率化が図られる。
【００２４】
棒状のレール７は、付勢モジュールの取り付け位置を選択的に規定可能な複数の係止部を備える。例えば、径方向に貫通する複数のねじ孔７ａを、高さ方向に所定の間隔を開けて形成しておき、任意のねじ孔７ａに係止用ねじ８をねじ込むことにより、その位置で付勢モジュールを係止可能とする。
このようにすると、複数のバネ付き蝶番２を所定箇所に連続状に配置すれば、バネ付き蝶番２を利用して前扉１００ａと筐体１００ｂとの隙間を塞ぐことができるので、隙間に特殊器具を挿入して行われる不正行為を効果的に防止することが可能になる。
【００２５】
以上のように構成された第二実施形態によれば、付勢モジュール支持具を棒状としたので、レール形状が単純化されるだけでなく、レール７を付勢モジュールの一部（連結ピン４）として機能させることができ、その結果、構造の簡略化、部品点数の削減、コストダウンなどを図ることが可能になる。
【００２６】
以上、本発明について、実施形態を示して説明したが、本発明は、上述した実施形態にのみ限定されるものではなく、特許請求の範囲内で種々の変更が可能であることは言うまでもない。
例えば、付勢モジュールは、バネ付き蝶番に限定されず、板バネ、圧縮コイルバネなどの様々な付勢部品を用いることができる。
【産業上の利用可能性】
【００２７】
本発明は、箱体又は枠体からなるベースと、ベースの左前端又は右前端を支点とする前後回動により、ベースの前面開口を開閉する扉と、を備える遊技機に適用することができる。
【符号の説明】
【００２８】
１  支点
２  バネ付蝶番
３  板材
４  連結ピン
５  捻りコイルバネ
６  レール
６ａ  レール部材
６ｂ  溝部
６ｃ  係止爪
７  レール
７ａ  ねじ孔
８  係止用ねじ
１００  スロットマシン
１００ａ  前扉
１００ｂ  筐体
１１０  メダルセレクタ
１２０  スピーカ
１３０  電源ユニット
【図１】
0005531204.tif 000002
【図２】
0005531204.tif 000003
【図３】
0005531204.tif 000004
【図４】
0005531204.tif 000005
【図５】
0005531204.tif 000006
【図６】
0005531204.tif 000007
【図７】
0005531204.tif 000008
【図８】
0005531204.tif 000009
【図９】
0005531204.tif 000010